(57)【要約】【課題】本発明は、磁気ディスク等の記録媒体に情報を記録する垂直磁気記録ヘッド及びこれを用いた磁気記録装置に関し、記録性能を劣化させることなく、磁界の漏洩を抑制することができる垂直磁気記録ヘッド及びこれを用いた磁気記録装置を提供することを目的とする。【解決手段】媒体対向面Ｆを有するスライダ７に搭載された垂直記録磁気ヘッド９は、前記媒体対向面Ｆに露出した先端部２３を有する主磁極２１と、前記先端部２３の側面２３ａから離間した第１の距離ｄ１に配置され、かつ、前記媒体対向面Ｆから後退した第２の距離ｄ２に配置されたサイドシールド２５，２７と、を有する。【選択図】図３
2009104727.tif 000002
【特許請求の範囲】
【請求項１】
媒体対向面を有するスライダに搭載された垂直記録磁気ヘッドであって、
前記媒体対向面に露出した先端部を有する主磁極と、
前記先端部の側面から離間した第１の距離に配置され、かつ、前記媒体対向面から後退した第２の距離に配置されたサイドシールドと、
を有することを特徴とする垂直記録磁気ヘッド。
【請求項２】
前記先端部と前記サイドシールドの間、および、前記媒体対向面と前記サイドシールドの間に非磁性材料を有すること
を特徴とする請求項１記載の垂直記録磁気ヘッド。
【請求項３】
前記サイドシールドが前記先端部の側面の両側に配置されていること
を特徴とする請求項２記載の垂直記録磁気ヘッド。
【請求項４】
前記先端部に磁気的に接続されたしぼり部をさらに有し、前記第２の距離が、前記媒体対向面から前記先端部と前記しぼり部の接続する位置までの距離よりも短いこと
を特徴とする請求項３記載の垂直記録磁気ヘッド。
【請求項５】
前記しぼり部と前記サイドシールドとの距離が、前記第１の距離と同じか又は前記第１の距離よりも長いこと
を特徴とする請求項４記載の垂直記録磁気ヘッド。
【請求項６】
前記主磁極の媒体対向面形状が、逆台形形状であること
を特徴とする請求項５記載の垂直磁気記録ヘッド。
【請求項７】
前記サイドシールドの平面形状の前記媒体対向面側から遠ざかる方向の幅が、前記主磁極に近い端部より反対側の端部の方が広いこと
を特徴とする請求項６記載の垂直磁気記録ヘッド。
【請求項８】
前記サイドシールドが、少なくともＦｅ、Ｎｉ、Ｃｏのいずれか一つを含み磁性材料からなること
を特徴とする請求項７記載の垂直磁気記録ヘッド。
【請求項９】
請求項１記載の垂直磁気記録ヘッドを搭載した磁気記録装置。
【発明の詳細な説明】
【技術分野】
【０００１】
本発明は、磁気ディスク等の記録媒体に情報を記録する垂直磁気記録ヘッド及びこれを搭載した磁気記録装置に関する。
【背景技術】
【０００２】
従来、磁気ディスク等の記録媒体に記憶された情報を磁気記録ヘッドによって読み書きする磁気記録装置が知られている。この種の磁気記録装置では、記録媒体における単位面積当たりの情報記録容量、すなわち、記録密度を大きくするために、記録媒体のトラック幅方向及びビット長方向の双方の密度を向上させる必要があった。しかしながら、記録方式として通常用いられている面内記録方式では、記録されるビット長が短くなると、記録媒体の熱揺らぎが原因で、面内の記録密度を上げられないといった問題が生じていた。これらの問題を解決する方法として、記録媒体を記録面に垂直な方向に磁化させることにより、さらなる記録密度の高密度化を図った垂直記録方式の磁気記録ヘッド、すなわち、垂直磁気記録ヘッドが実用化されている。
【０００３】
垂直記録方式の磁気記録装置においても、再生時には、巨大磁気抵抗効果型ヘッド（ＧＭＲ）や再生出力の大きいトンネル巨大磁気抵抗効果型ヘッド（ＴＭＲ）等を用いることができる。一方、記録時には、記録媒体を二層化して下層に軟磁性裏打層（Ｓｏｆｔ  Ｕｎｄｅｒ  Ｌａｙｅｒ：ＳＵＬ）を設けた垂直磁気記録媒体に、垂直磁気記録ヘッドとして主磁極と補助磁極とを備える単磁極ヘッドを用いて情報を記録している。このように垂直磁気記録媒体側に軟磁性裏打層を有するため、垂直記録方式では垂直磁気記録ヘッドの書き込み能力が高く、１０Ｔ（テスラ）を超える記録磁界を発生させることが可能である。これにより、５ｋＯｅ（キロエルステッド）を超える比較的大きな保磁力を有する垂直磁気記録媒体の記録層への情報の書き込みが可能である。
【０００４】
この種の磁気記録装置では、さらなる記録密度の高密度化にともない、垂直磁気記録媒体のトラック幅が減少したり、主磁極に用いられる磁性材料も飽和磁束密度の制限を受けたり、その他の理由から、主磁極に発生し得る磁界の大きさも励磁コイルによって制限されてしまう。このような課題を解決すべく、図１０に示すように、主磁極１２１の先端部１２３におけるトラック幅方向の両側に、サイドシールド１２５、１２７を設けて、記録対象としての記録トラックに隣接する隣接トラックに磁界の漏洩を防止する磁気記録装置２００が提案されている（例えば、特許文献１及び特許文献２参照）。この磁気記録装置２００では、軟磁性裏打層１０２及び記録層１０４が積層された垂直磁気記録媒体１０１とサイドシールド１２５、１２７との間隔が、垂直磁気記録媒体１０１と先端部１２３との間隔と同幅に設けられている。
【０００５】
図１１は、磁気記録装置のサイドシールドの有無による記録磁界の分布を示す図である。図１１において、横軸は記録トラックの中心からのトラック幅方向の距離ｄｗ（ｎｍ）を表し、縦軸は印加磁界Ｈｗ（ｋＯｅ（キロエルステッド））を表している。範囲Ａは記録トラックの範囲であり、範囲Ｂは隣接トラックの範囲である。なお、トラックピッチは８０ｎｍである。図中、破線Ｃ２はサイドシールドを有さない磁気記録装置の記録磁界の分布を示し、実線Ｃ３はサイドシールドを有する磁気記録装置の記録磁界の分布を示している。図１１からわかるように、サイドシールドを有する磁気記録装置は、有さない磁気記録装置よりも隣接トラックへの磁界の漏洩が抑制されることがわかる。
【０００６】
また、浮遊磁界によるデータ消去を防止すべく、垂直磁気記録ヘッドを取り囲むように軟磁性シールドを設け、軟磁性シールドと媒体との距離を、軟磁性シールドと垂直磁気記録ヘッドとの距離よりも小さくした磁気記録装置が提案されている（例えば、特許文献３参照）。
【特許文献１】特開２００５−１９０５１８号公報
【特許文献２】特開２００６−１１３４５４０号公報
【特許文献３】特開２００６−１６４３５６号公報
【発明の開示】
【発明が解決しようとする課題】
【０００７】
しかしながら、図１０に示す上記従来の磁気記録装置では、サイドシールドが垂直磁気記録媒体の媒体対向面に露出した構造を有している。これにより、サイドシールドの形状効果等によって磁区が生じてしまい、この磁区によって、記録対象としての記録トラックに隣接する隣接トラックに磁化により記録された情報が消去されてしまう現象、いわゆるイレーズが生じてしまう。このイレーズにより、垂直磁気記録媒体の再生時のＳ／Ｎ比（信号対雑音比）が低下して垂直磁気記録媒体に記録された情報の再生が困難となってしまう。このため、上記従来の磁気記録装置は、記録性能が劣化してしまい実用的ではなかった。
【０００８】
また、垂直磁気記録ヘッドを取り囲むように、軟磁性シールドと媒体との距離を、軟磁性シールドと垂直磁気記録ヘッドとの距離よりも小さくした上記従来の磁気記録装置は、浮遊磁界によるデータ消去を防止することを課題としていた。このため、磁気記録装置における記録密度を高密度化したり、サイドイレーズを防止したりすることはできなかった。
【０００９】
図１２は、主磁極と軟磁性シールドとの間隔をパラメータとして変化させたときの磁界シミュレーション結果を示す図である。図１２において、横軸は主磁極と軟磁性シールドとの間隔の距離ｄ１とトラックピッチｐｔとの比ｄ１／ｐｔを示している。また、縦軸は記録トラックに付与された記録磁界の強さＨｒと、記録磁界の一部が漏洩磁界として隣接トラックに漏洩したときの漏洩磁界の強さＨｌとの比Ｈｌ／Ｈｒを示している。このシミュレーション結果では、主磁極トレーリング側のトラック幅方向の幅を５０ｎｍ（ナノメートル）、飽和磁束密度を２．３Ｔ（テスラ）として、起磁力０．２０ＡＴ（アンペア・ターン）を垂直磁気記録媒体に対して与えている。破線Ｃ４は、軟磁性シールドを設けなかった場合のシミュレーション結果を示している。図１２に示すように、記録トラックのトラック幅の中心を基準として軟磁性シールドが離れる、すなわち、主磁極と軟磁性シールドとの間隔が増大するに伴って、記録磁界の強さと漏洩磁界の強さとの比が増大している。図中破線Ｃ５で示すように、主磁極と軟磁性シールドとの間隔が、トラックピッチの１．５倍程度だけトラック幅方向に遠ざかると、軟磁性シールドを設けていない磁気記録装置と同等レベルまで、記録磁界の強さと漏洩磁界の強さとの比が悪化してしまうことを示している。すなわち、主磁極と軟磁性シールドとの間隔が数十ミクロンも離れている磁気記録装置では、漏洩磁界によるサイドイレーズを防止することはできなかった。
【００１０】
さらに、大きな発生磁界を得ようと起磁力を大きくしたとしても、材料の制約から、情報の書き込みに必要な記録磁界の大きさは変わらない。このため、漏洩磁界の大きさのみが大きくなってしまい、磁気記録装置における記録密度の高密度化が困難であった。
【００１１】
本発明の目的は、記録性能を劣化させることなく、磁界の漏洩を抑制することができる垂直磁気記録ヘッド及びこれを用いた磁気記録装置を提供することにある。
【課題を解決するための手段】
【００１２】
上記目的は、媒体対向面を有するスライダに搭載された垂直記録磁気ヘッドであって、前記媒体対向面に露出した先端部を有する主磁極と、前記先端部の側面から離間した第１の距離に配置され、かつ、前記媒体対向面から後退した第２の距離に配置されたサイドシールドと、を有することを特徴とする垂直記録磁気ヘッドによって達成される。
【００１３】
また、上記目的は、上記本発明の垂直磁気記録ヘッドを搭載した磁気記録装置によって達成される。
【発明の効果】
【００１４】
本発明によれば、記録性能を劣化させることなく、磁界の漏洩を抑制することができる垂直磁気記録ヘッド及びこれを用いた磁気記録装置を実現できる。
【発明を実施するための最良の形態】
【００１５】
図１は、本実施の形態による磁気ヘッド素子部（垂直磁気記録ヘッド）９を搭載したハードディスク駆動装置（磁気記録装置）１００の内部構造を概略的に示す。磁気記録装置１００は、例えば直方体の内部空間を画定する箱状の筐体６を有している。筐体６内の収容空間には、１枚以上の円盤状の磁気ディスク（垂直磁気記録媒体）１が収容されている。
【００１６】
磁気ディスク１は、軟磁性裏打層２（図４参照）上に記録層４（図４参照）が積層されて形成されている。この磁気ディスク１の中心はスピンドルモータ８の回転軸に固定されている。
軟磁性裏打層２は、軟磁性材料で形成されている。この軟磁性裏打層２は、垂直磁気記録ヘッド９から印加された磁束が通る磁路であり、印加された磁束を再び垂直磁気記録ヘッド９に還流させる。
【００１７】
記録層４は、表面が磁気ディスク１の記録面Ｅとして形成されている。記録層４は、記録面Ｅに対して垂直な方向の保磁力が水平な方向の保磁力よりも大きくなるように設けられている。これにより、記録層４は、情報を記録するようになっている。
【００１８】
スピンドルモータ８は、例えば４２００ｒｐｍ（回転数／分）〜７２００ｒｐｍ、あるいは１５０００ｒｐｍの高速度で磁気ディスク１を図中矢印Ｒで示す方向に回転させることができる。筐体６には、筐体６との間で収容空間を密閉する蓋体すなわちカバー（図示せず）が結合される。
【００１９】
収容空間には、ボイスコイルモータ（ＶＣＭ）等のロータリアクチュエータ３で揺動するサスペンションアーム５を備えている。サスペンションアーム５の先端では、いわゆるジンバルばね（図示せず）の働きで浮上ヘッドスライダ７が片持ち支持されている。浮上ヘッドスライダ７には、磁気ディスク１の記録面Ｅに向かってサスペンションアーム５から押し付け力が作用する。磁気ディスク１の回転に基づき磁気ディスク１の記録面Ｅで生成される気流の働きで浮上ヘッドスライダ７には浮力が作用する。サスペンションアーム５の押し付け力と浮力とのバランスで磁気ディスク１の回転中に比較的高い安定性を有した状態で浮上ヘッドスライダ７は浮上し続けることができる。
【００２０】
浮上ヘッドスライダ７の浮上中に、サスペンションアーム５が揺動すると、浮上ヘッドスライダ７は半径方向に磁気ディスク１の記録面Ｅを横切ることができる。こうした移動に基づき浮上ヘッドスライダ７は磁気ディスク１上の所望の記録トラックに位置決めされる。このとき、サスペンションアーム５の揺動はロータリアクチュエータ３の働きを通じて実現される。浮上ヘッドスライダ７には、磁気ヘッド素子部９が設けられている。ロータリアクチュエータ３が回転することにより、磁気ヘッド素子部９を磁気ディスク１の異なる半径位置へと移動させ、位置決めできるようになっている。磁気ディスク１上には、複数の記録トラックが同心円で形成されている。磁気ディスク１は、各記録トラックのトラック幅が狭く形成されることにより、トラック幅方向の密度が向上する。
【００２１】
図２は、磁気ヘッド素子部９を磁気ディスク１側から見た平面図である。図３は、図２のＡ−Ａ’断面図である。図４は、図２のＢ−Ｂ’断面図である。なお、図４の図中に示す矢印は、磁束が放出される様子を模式的に示している。
磁気ヘッド素子部９の磁気ディスク１側に形成された面は、図２に示すように、浮上ヘッドスライダ７（図１参照）の磁気ディスク１側に形成された面とともに媒体対向面Ｆを構成している。この媒体対向面Ｆは、磁気ディスク１の記録面Ｅ（図４参照）に対向して形成されている。
磁気ヘッド素子部９は、再生磁気ヘッド１０と誘導型記録磁気ヘッド２０とを備えている。再生磁気ヘッド１０は、磁気ヘッド素子部９の図中矢印Ｌで示すリーディング側に設けられている。この再生磁気ヘッド１０は、再生素子１５と、一対の磁気シールド１１、１３とを備えている。
【００２２】
再生素子１５は、磁気抵抗効果材料で形成されており、磁気抵抗効果型素子（ＧＭＲ）又はトンネル磁気抵抗効果型素子（ＴＭＲ）である。再生素子１５は、一対の磁気シールド１１、１３の間に設けられている。再生素子１５と磁気シールド１１、１３との間は非磁性材料により埋められている。この再生素子１５は、磁気ディスク１に付与された磁界に応じて電気抵抗が変化するようになっている。これにより、磁気ディスク１に記録された情報を電気信号に変換し、磁気ディスク１から情報を読み出せるようになっている。
【００２３】
磁気シールド１１、１３は、ＮｉＦｅ等の軟磁性材料で形成されている。この磁気シールド１１、１３は、磁気ディスク１から放出される磁界を吸収し、再生素子１５が磁気ディスク１から読み出す情報の範囲を適正な範囲に収めるようになっている。
【００２４】
誘導型記録磁気ヘッド２０は、磁気ヘッド素子部９の図中矢印Ｔで示すトレーリング側に設けられている。この誘導型記録磁気ヘッド２０は、主磁極２１と、書込シールド２９と、コイル３５（図３参照）と、一対のリターンヨーク３０、３１と、磁心３３（図３参照）と、一対のサイドシールド２５、２７とを備えている。
【００２５】
主磁極２１は、図３に示すように、媒体対向面Ｆに対して略垂直に延びて形成されている。この主磁極２１は、図４に示すように、リーディング側から見て、媒体対向面Ｆに向かって幅が狭まるテーパー状のしぼり部２１ａを有している。主磁極２１は、しぼり部２１ａの下端に先端部２３が接続して形成されている。これにより、先端部２３としぼり部２１ａとは磁気的に接続されている。先端部２３は、一定の幅で媒体対向面Ｆまで延びている。この先端部２３は、図２に示すように、磁気ディスク１側から視認可能に媒体対向面Ｆ内に露出している。先端部２３は、先端部２３の側面２３ａとリターンヨーク３０、３１と間に間隔を空けて設けられている。先端部２３とリターンヨーク３０、３１との間は非磁性材料により埋められている。
【００２６】
磁気ヘッド素子部９は、磁気ディスク１の半径方向の位置に応じて記録トラックとのなす角度、すなわちヨー角がさまざまな角度に変化してしまう。このヨー角は、例えば、最大で±１５°〜２０°の範囲で変化する。これにより、隣接トラックに大きな磁界が印加されてしまうのを防止すべく、先端部２３は、媒体対向面Ｆ内に露出した形状が、リーディング側の辺がトレーリング側の辺よりも小さな台形形状に形成されている。すなわち、主磁極２１は、図２に示すように、リーディング側を下向きに見たときに逆台形形状となる。主磁極２１は、記録磁界を発生して磁気ディスク１に情報を記録するようになっている。
【００２７】
書込シールド２９は、図３に示すように、リターンヨーク３１から主磁極２１に向けて突出して形成された磁性体である。すなわち、書込シールド２９は、主磁極２１のトレーリング側に設けられている。この書込シールド２９は、主磁極２１から放出される記録磁界の一部を吸収し、磁気ディスク１に印加される磁界の範囲を適正な範囲に収めるようになっている。
【００２８】
一対のリターンヨーク３０、３１は、補助磁極であり、主磁極２１と、書込シールド２９と、コイル３５と、磁心３３と、一対のサイドシールド２５、２７とを挟み込んで設けられている。リターンヨーク３０と磁気シールド１１との間は非磁性材料により埋められている。
【００２９】
コイル３５は、図３に示すように、磁心３３に巻き回されて設けられている。これらコイル３５は、電力が供給されることにより磁心３３を励磁するようになっている。
【００３０】
磁心３３は、主磁極２１及びリターンヨーク３１に当たった状態で、主磁極２１とリターンヨーク３１との間に設けられている。この磁心３３は、コイル３５によって励磁されて主磁極２１に記録磁界を発生させるようになっている。
【００３１】
一対のサイドシールド２５、２７は、図４に示すように、媒体対向面Ｆに沿って板状に形成されている。サイドシールド２５、２７は、少なくともＦｅ、Ｎｉ、Ｃｏのいずれか一つを含む磁性材料で形成されている。これら一対のサイドシールド２５、２７は、主磁極２１の先端部２３を挟み込んで側面２３ａの両側に配置されている。先端部２３の側面２３ａとサイドシールド２５、２７とは、媒体対向面Ｆに沿って距離（第１の距離）ｄ１だけ間隔を空けて離間して配置されている。側面２３ａとサイドシールド２５、２７との間に形成された隙間は、非磁性材料により埋められている。一対のサイドシールド２５、２７は、磁気ディスク１に情報を記録する際に、記録トラックのトラック幅方向に配列されるようになっている。
【００３２】
サイドシールド２５、２７は、媒体対向面Ｆから磁気ヘッド素子部９の内側に距離（第２の距離）ｄ２だけ後退して配置されている。このため、媒体対向面Ｆとサイドシールド２５、２７との間も非磁性材料により埋められている。ここで、サイドシールド２５、２７と媒体対向面Ｆとの距離ｄ２は、媒体対向面Ｆから先端部２３としぼり部２１ａとが接続された位置までの距離ｄ３よりも小さくなっている。
【００３３】
図５は、磁気ヘッド素子部９が磁気ディスク１に情報を記録する様子を示す模式図である。
磁気ヘッド素子部９が磁気ディスク１に情報を記録する際には、誘導型記録磁気ヘッド２０のコイル３５に電流を流して磁心３３を励磁する。これにより、主磁極２１の先端部２３と軟磁性裏打層２との間に磁気ディスク１の記録面Ｅに対して垂直な方向の磁界が発生し、磁気ディスク１の記録層４に情報が記録される。
記録層４を介して軟磁性裏打層２に流れ込んだ磁束は、誘導型記録磁気ヘッド２０のリターンヨーク３１へと戻る。このように、コイル３５と、磁心３３と、主磁極２１と、磁気ディスク１と、リターンヨーク３１とにより磁気回路が形成されている。
【００３４】
記録層４に情報を記録する際には、記録面Ｅに対向する主磁極２１の先端部２３の形状に応じて、記録層４に記録される磁化状態が決まる。特に、磁気ディスク１の回転により記録層４が誘導型記録磁気ヘッド２０に対して相対的に移動する向きの下流側、すなわち、トラック幅方向に幅広に形成されたトレーリング側ほど、より強い磁界で情報の記録が行われるようになっている。
【００３５】
図６は、サイドシールド２５、２７と媒体対向面Ｆとの間隔を変化させたときの断面図である。また、図７は、誘導型記録磁気ヘッド２０の先端部２３近傍を拡大して示す断面図である。
サイドシールド２５、２７は、磁気ディスク１のトラックピッチ程度の距離だけ主磁極２１のしぼり部２１ａと間隔を空けて設けられていることが望ましい。これにより、サイドシールド２５、２７は、誘導型記録磁気ヘッド２０が磁気ディスク１に情報を書き込むのに必要な磁界の低下を招かずに、隣接トラックにかかる漏洩磁界を抑止することができる。
【００３６】
サイドシールド２５、２７と媒体対向面Ｆとの間隔を、図６に示すように、距離ｄ２よりも長い距離ｄ４とすると、しぼり部２１ａ側に形成されたサイドシールド２５、２７の角部２５ａ、２７ａとしぼり部２１ａとの間隔は、距離ｄ１よりも短い距離ｄ５となる。このとき、主磁極２１の磁束がサイドシールド２５、２７に流れてしまうことにより、記録磁界の強さが弱まってしまう。しかしながら、本実施形態におけるサイドシールド２５、２７は、図７に示すように、角部２５ａ、２７ａの形状を、しぼり部２１ａの斜面の形状に沿った形状、あるいは、媒体対向面Ｆから離れるほどサイドシールド２５、２７と主磁極２１との間隔が広がる形状に形成されている。また、しぼり部２１ａと角部２５ａ、２７ａとの距離ｄ５は、側面２３ａとサイドシールド２５、２７との距離ｄ１と同じ、又は、距離ｄ１よりも長く形成されている。これにより、誘導型記録磁気ヘッド２０は、サイドシールド２５、２７を設けたことにより記録磁界の強さの低下を最小限に抑えられるようになっている。
【００３７】
図８（ａ）〜図８（ｃ）は、サイドシールド２５、２７の媒体対向面Ｆからの距離ｄ２を変化させたときの先端部２３における磁界分布のシミュレーション結果を示す図である。図８（ａ）〜図８（ｃ）は、先端部２３を磁気ディスク１側から見た図であり、先端部２３の半分のシミュレーション結果のみを示している。線分ｈ１〜ｈ５は、それぞれ磁界の大きさが等しい領域の境界線を現している。これら線分ｈ１〜ｈ５は、線分ｈ１、線分ｈ２、線分ｈ３、線分ｈ４及び線分ｈ５の順に磁界の大きさが小さくなる。
【００３８】
図８（ａ）は、サイドシールド２５、２７の媒体対向面Ｆからの距離ｄ２を０（ゼロ）ｎｍとしたシミュレーション結果を示す図である。図８（ａ）に示すように、先端部２３は、トラック幅方向及びビット長方向に磁界分布が広がってしていることがわかる。
【００３９】
図８（ｂ）は、サイドシールド２５、２７の媒体対向面Ｆからの距離ｄ２を２０ｎｍとしたシミュレーション結果を示す図である。図８（ｂ）に示すように、先端部２３は、距離ｄ２を０（ゼロ）ｎｍとした場合に比べて、トラック幅方向及びビット長方向に磁界分布が狭まっていることがわかる。
【００４０】
図８（ｃ）は、サイドシールド２５、２７の媒体対向面Ｆからの距離ｄ２を４０ｎｍとしたシミュレーション結果を示す図である。図８（ｃ）に示すように、先端部２３は、距離ｄ２を２０ｎｍとした場合に比べて、ビット長方向に磁界分布がさらに狭まり、線分ｈ１で示すように、磁界の大きさが最も強い領域が主磁極２１の先端部２３のトレーリング側端部に集中している。すなわち、サイドシールド２５、２７は、先端部２３主磁極リーディング側エッジが磁束飽和に達したことによって外部に放出された不要な磁束のみを吸収し、ヨー角を考慮した場合のサイドイレーズ抑制が期待できる。
【００４１】
図９は、サイドシールド２５、２７の媒体対向面Ｆからの距離ｄ２を変化させたときの漏洩磁界の強さの変化のシミュレーション結果を示す図である。このシミュレーション結果では、主磁極トレーリング側のトラック幅方向の幅を５０ｎｍ（ナノメートル）、飽和磁束密度を２．３Ｔ（テスラ）として、起磁力０．２０ＡＴ（アンペア・ターン）を垂直磁気記録媒体に対して与えている。また、先端部２３としぼり部２１ａとが接続された位置までの距離ｄ３は１００ｎｍである。図９において、横軸はサイドシールド２５、２７の媒体対向面Ｆからの距離ｄ２と距離ｄ３との比ｄ２／ｄ３を示している。また、縦軸は記録トラックに付与された記録磁界の強さＨｒと、記録磁界の一部が漏洩磁界として隣接トラックに漏洩したときの漏洩磁界の強さＨｌとの比Ｈｌ／Ｈｒを示している。
【００４２】
図中線分Ｃ１で示すように、ｄ２／ｄ３が約０．７の位置で、記録トラックに付与された記録磁界の強さＨｒと、記録磁界の一部が漏洩磁界として隣接トラックに漏洩したときの漏洩磁界の強さＨｌとの比Ｈｌ／Ｈｒが最小となっている。これにより、ｄ２／ｄ３を約０．７とした場合、距離ｄ２が０（ゼロ）ｎｍであるｄ２／ｄ３が０（ゼロ）の場合に比べて、磁気ディスク１のトラック幅方向の密度を向上することが可能であり、記録密度の高密度化に有利であることがわかる。
【００４３】
以上説明したように、本実施の形態によれば、垂直磁気記録ヘッド９は、主磁極２１の先端部２３の側面２３ａから、媒体対向面Ｆに沿って距離ｄ１だけ間隔を空けて配置されるとともに、媒体対向面Ｆから磁気ヘッド素子部９の内側に距離ｄ２だけ後退して配置されたサイドシールド２５、２７を有している。これにより、垂直磁気記録ヘッド９は、先端部２３が磁束飽和に達したことによって外部に放出された不要な磁束を吸収する。このため、垂直磁気記録ヘッド９は、記録性能を劣化させることなく、磁束の漏洩を抑制することができる。
【００４４】
以上、実施形態に基づいて本発明を説明したが、本発明は、上記実施の形態に限らず種々の変形が可能である。
上記実施の形態では、サイドシールド２５、２７は、媒体対向面Ｆに沿って板状に形成されているが、本発明はこれに限られない。例えば、サイドシールドは、サイドシールドの平面形状の媒体対向面側から遠ざかる方向の幅が、主磁極に近い端部より反対側の端部の方が広く形成されていてもよい。これにより、サイドシールドは、主磁極に近い側の端部よりも主磁極から遠い側の端部の方が、媒体対向面から離れた位置に形成されるため、主磁極から遠い側の端部にから磁気ディスク１に磁束が印加されてしまうといった悪影響を防止することができる。サイドシールドと書き込みシールドが接続された形態においても、同様な効果が期待できる。
【００４５】
また、上記実施の形態では、磁心３３に巻き回された１つのコイル３５を備えているが、本発明はこれに限られない。例えば、コイル３５に対して主磁極２１の反対側に、コイル３５と略同形状の補助コイルを備えていてもよい。これにより、磁気ディスク１に記録された情報が消去されてしまうといった垂直磁気記録ヘッド９特有の問題を解決することができる。
【図面の簡単な説明】
【００４６】
【図１】本発明の第１の実施の形態による垂直磁気記録ヘッドを備えたハードディスク駆動装置の内部構造を概略的に示す図である。
【図２】本発明の第１の実施の形態による磁気ヘッド素子部を磁気ディスク１側から見た平面図である。
【図３】図２のＡ−Ａ’断面図である。
【図４】図２のＢ−Ｂ’断面図である。
【図５】本発明の第１の実施の形態による磁気ヘッド素子部が磁気ディスクに情報を記録する様子を示す模式図である。
【図６】本発明の第１の実施の形態によるサイドシールドと媒体対向面との間隔を変化させたときの断面図である。
【図７】本発明の第１の実施の形態による誘導型記録磁気ヘッドの先端部近傍を拡大して示す断面図である。
【図８】図８（ａ）は、本発明の第１の実施の形態によるサイドシールドの媒体対向面からの距離を０ｎｍとしたシミュレーション結果を示す図である。図８（ｂ）は、本発明の第１の実施の形態によるサイドシールドの媒体対向面からの距離を２０ｎｍとしたシミュレーション結果を示す図である。図８（ｃ）は、本発明の第１の実施の形態によるサイドシールドの媒体対向面からの距離を４０ｎｍとしたシミュレーション結果を示す図である。
【図９】本発明の第１の実施の形態によるサイドシールドの媒体対向面からの距離を変化させたときの漏洩磁界の強さの変化をシミュレーションした結果を示す図である。
【図１０】従来技術による磁気記録装置を示す断面図である。
【図１１】従来技術による磁気記録装置のサイドシールドの有無による記録磁界の分布を示す図である。
【図１２】従来技術による主磁極と軟磁性シールドとの間隔をパラメータとして変化させたときの磁界シミュレーション結果を示す図である。
【符号の説明】
【００４７】
１  磁気ディスク（垂直磁気記録媒体）
２  軟磁性裏打層
３  ロータリアクチュエータ
４  記録層
５  サスペンションアーム
６  筐体
７  浮上ヘッドスライダ
８  スピンドルモータ
９  磁気ヘッド素子部（垂直磁気記録ヘッド）
１０  再生磁気ヘッド
１１、１３  磁気シールド
１５  再生素子
２０  誘導型記録磁気ヘッド
２１  主磁極
２１ａ  しぼり部
２３  先端部
２３ａ  側面
２５、２７  サイドシールド
２９  書込シールド
３０、３１  リターンヨーク
３３  磁心
３５  コイル
１００  磁気記録装置
【図１】
2009104727.tif 000003
【図２】
2009104727.tif 000004
【図３】
2009104727.tif 000005
【図４】
2009104727.tif 000006
【図５】
2009104727.tif 000007
【図６】
2009104727.tif 000008
【図７】
2009104727.tif 000009
【図８】
2009104727.tif 000010
【図９】
2009104727.tif 000011
【図１０】
2009104727.tif 000012
【図１１】
2009104727.tif 000013
【図１２】
2009104727.tif 000014